【手続補正書】
【提出日】平成16年10月6日(2004.10.6)
【手続補正１】
【補正対象書類名】明細書
【補正対象項目名】特許請求の範囲
【補正方法】変更
【補正の内容】
【特許請求の範囲】
【請求項１】
出力制御装置と出力装置で構成され、前記出力制御装置からインターフェースを介して転送された画像データを前記出力装置で出力する画像処理システムにおいて、前記出力制御装置は、前記出力装置で出力する際に必要な画像処理機能を分担して実行する画像処理部を有することを特徴とする画像処理システム。
【請求項２】
出力制御装置と出力装置で構成され、前記出力制御装置からインターフェースを介して転送された画像データを前記出力装置で出力する画像処理システムにおいて、前記出力装置は、出力する際に必要な画像処理機能を分担して実行する画像処理部を有することを特徴とする画像処理システム。
【請求項３】
出力制御装置と出力装置で構成され、前記出力制御装置からインターフェースを介して転送された画像データを前記出力装置で出力する画像処理システムにおいて、前記出力制御装置と出力装置の双方が、出力する際に必要な画像処理機能を分担して実行する画像処理部を有することを特徴とする画像処理システム。
【請求項４】
請求項３記載の画像処理システムにおいて、前記出力制御装置は、該出力制御装置内の画像処理部で行う画像処理内容を選択する画像処理選択部と、前記出力装置側に処理内容を伝える出力部を有することを特徴とする画像処理システム。
【請求項５】
請求項４記載の画像処理システムにおいて、前記出力装置は、前記出力制御装置から画像処理内容の情報を受け取る入力部と、残りの画像処理内容を前記出力制御装置内の画像処理部に伝える画像処理選択部を有することを特徴とする画像処理システム。
【請求項６】
請求項５記載の画像処理システムにおいて、前記出力装置は、該出力装置内の情報をインターフェースを介して前記出力制御装置側に伝える出力部を有することを特徴とする画像処理システム。
【請求項７】
請求項５記載の画像処理システムにおいて、前記出力装置側の画像処理能力によって、画像処理を前記出力制御装置側と出力装置側で分担させる機能を有することを特徴とする画像処理システム。
【請求項８】
請求項７記載の画像処理システムにおいて、前記出力制御装置側が予め前記出力装置側の画像処理能力の情報を受け取ることにより、前記出力制御装置側と出力装置側で画像処理を分担させる機能を有することを特徴とする画像処理システム。
【請求項９】
請求項８記載の画像処理システムにおいて、前記出力制御装置側が予め前記出力装置側の画像処理能力の情報を受け取れなかった場合には、前記出力装置側の画像処理能力を理論値で計算することにより、前記出力制御装置側と出力装置側で画像処理を分担させる機能を有することを特徴とする画像処理システム。
【請求項１０】
請求項８記載の画像処理システムにおいて、前記出力装置の画像処理能力に加えて前記出力装置の搭載メモリ量の情報を受け取ることにより、前記出力制御装置側と出力装置側で画像処理を分担させる機能を有することを特徴とする画像処理システム。
【請求項１１】
請求項６記載の画像処理システムにおいて、前記画像データが複数頁だった場合に、前記出力制御装置側と出力装置側の画像処理分担を、頁毎に変更する機能を有することを特徴とする画像処理システム。
【請求項１２】
請求項６記載の画像処理システムにおいて、前記画像データが複数頁で、かつ複数部数印刷だった場合に、前記出力制御装置側と出力装置側の画像処理分担を、頁毎に変更する機能を有することを特徴とする画像処理システム。
【請求項１３】
請求項７記載の画像処理システムにおいて、前記出力制御装置側が画像処理を行なう前に、前記出力装置の出力可否状態の情報によって、前記出力制御装置側と出力装置側の画像処理分担を変更させる機能を有することを特徴とする画像処理システム。
【請求項１４】
請求項１１記載の画像処理システムにおいて、頁の途中で前記出力装置の出力可否状態が変わった場合には、前記出力制御装置側と出力装置側の画像処理分担を変更させる機能を有することを特徴とする画像処理システム。
【請求項１５】
請求項８記載の画像処理システムにおいて、前記出力装置側の画像処理後のデータを格納できる残りメモリ量の情報を、前記出力制御装置側が頁毎に受け取ることにより、前記出力制御装置側と出力装置側の画像処理分担を変更させる機能を有することを特徴とする画像処理システム。
【請求項１６】
前記画像処理部は、前記出力装置で出力する際に必要な画像処理機能の全てを実行することを特徴とする請求項１記載の画像処理システム。
【請求項１７】
前記画像処理部は、出力する際に必要な画像処理機能の全てを実行することを特徴とする請求項２記載の画像処理システム。
【請求項１８】
前記出力制御装置と前記出力装置の双方が有する前記画像処理部は、出力する際に必要な画像処理機能の全てを実行することを特徴とする請求項３乃至１５いずれか一項記載の画像処理システム。
【請求項１９】
ネットワークを介して接続する出力制御装置より転送される画像データを出力する出力装置であって、
前記出力制御装置は、当該出力装置で出力する際に必要な画像処理機能を分担して実行する画像処理部を有することを特徴とする出力装置。
【請求項２０】
ネットワークを介して接続する出力制御装置より転送される画像データを出力する出力装置であって、
出力する際に必要な画像処理機能を分担して実行する画像処理部を有することを特徴とする出力装置。
【請求項２１】
ネットワークを介して接続する出力制御装置より転送される画像データを出力する出力装置であって、
前記出力制御装置は、当該出力装置で出力する際に必要な画像処理機能を当該出力装置と分担して実行する第一の画像処理部を有し、
当該出力装置は、前記画像処理機能を前記出力制御装置と分担して実行する第二の画像処理部を有することを特徴とする出力装置。
【請求項２２】
請求項２１記載の出力装置であって、
前記出力制御装置は、
前記第一の画像処理部で行う画像処理内容を選択する第一の画像処理選択部と、
当該出力装置側に処理内容を伝える第一の出力部とを更に有することを特徴とする出力装置。
【請求項２３】
請求項２２記載の出力装置であって、
前記出力制御装置から画像処理内容の情報を受け取る入力部と、
残りの画像処理内容を前記第一の画像処理部に伝える第二の画像処理選択部とを更に有することを特徴とする出力装置。
【請求項２４】
請求項２３記載の出力装置であって、
当該出力装置内の情報を前記出力制御装置側に伝える第二の出力部を更に有することを特徴とする出力装置。
【請求項２５】
請求項２３記載の出力装置であって、
前記出力制御装置は、当該出力装置側の画像処理能力によって、画像処理を前記出力制御装置側と当該出力装置側で分担させる機能を有することを特徴とする出力装置。
【請求項２６】
請求項２５記載の出力装置であって、
前記出力制御装置は、予め当該出力装置側の画像処理能力の情報を受け取ることにより、前記出力制御装置側と当該出力装置側で画像処理を分担させる機能を有することを特徴とする出力装置。
【請求項２７】
請求項２６記載の出力装置であって、
前記出力制御装置は、予め当該出力装置側の画像処理能力の情報を受け取れなかった場合には、当該出力装置側の画像処理能力を理論値で計算することにより、前記出力制御装置側と出力装置側で画像処理を分担させる機能を有することを特徴とする出力装置。
【請求項２８】
請求項２６記載の出力装置であって、
前記出力制御装置は、当該出力装置の画像処理能力に加えて当該出力装置の搭載メモリ量の情報を受け取ることにより、前記出力制御装置側と当該出力装置側で画像処理を分担させる機能を有することを特徴とする出力装置。
【請求項２９】
請求項２４記載の出力装置であって、
前記出力制御装置は、前記画像データが複数頁だった場合に、前記出力制御装置側と当該出力装置側の画像処理分担を、頁毎に変更する機能を有することを特徴とする出力装置。
【請求項３０】
請求項２４記載の出力装置であって、
前記出力制御装置は、前記画像データが複数頁で、かつ複数部数印刷だった場合に、前記出力制御装置側と当該出力装置側の画像処理分担を、頁毎に変更する機能を有することを特徴とする出力装置。
【請求項３１】
請求項２５記載の出力装置であって、
前記出力制御装置は、画像処理を行なう前に、当該出力装置の出力可否状態の情報によって、前記出力制御装置側と出力装置側の画像処理分担を変更させる機能を有することを特徴とする出力装置。
【請求項３２】
請求項２９記載の出力装置であって、
前記出力制御装置は、頁の途中で当該出力装置の出力可否状態が変わった場合には、前記出力制御装置側と当該出力装置側の画像処理分担を変更させる機能を有することを特徴とする出力装置。
【請求項３３】
請求項２６記載の出力装置であって、
前記出力制御装置は、当該出力装置側の画像処理後のデータを格納できる残りメモリ量の情報を頁毎に受け取ることにより、前記出力制御装置側と当該出力装置側の画像処理分担を変更させる機能を有することを特徴とする出力装置。
【請求項３４】
コンピュータに、
ネットワークを介して接続する出力装置に画像データを出力させる際に必要な画像処理を分担して実行する画像処理手順と、
前記画像処理手順において画像処理が施された前記画像データを前記出力装置に転送する転送手順とを実行させるための出力制御プログラム。
【請求項３５】
請求項３４記載の出力制御プログラムであって、
前記画像処理手順において行われる画像処理内容を選択する画像処理選択手順と、
前記画像処理内容を前記出力装置に伝える画像処理内容伝達手順とを有することを特徴とする出力制御プログラム。
【請求項３６】
請求項３５記載の出力制御プログラムであって、
前記画像処理選択手順は、前記出力装置側の画像処理能力に基づいて、前記画像処理手順において行われる画像処理内容を選択することを特徴とする出力制御プログラム。
【請求項３７】
請求項３６記載の出力制御プログラムであって、
前記出力装置側の画像処理能力の情報を受け取る画像処理能力取得手順を更に有し、
前記画像処理選択手順は、前記画像処理能力取得手順において受け取られた前記画像処理能力に基づいて、前記画像処理手順において行われる画像処理内容を選択することを特徴とする出力制御プログラム。
【請求項３８】
請求項３７記載の出力制御プログラムであって、
前記画像処理選択手順は、前記画像処理能力取得手順において前記出力装置側の画像処理能力の情報を受け取れなかった場合には、前記出力装置側の画像処理能力を理論値で計算することを特徴とする出力制御プログラム。
【請求項３９】
請求項３７記載の出力制御プログラムであって、
前記画像処理能力取得手順は、前記出力装置の画像処理能力に加えて前記出力装置の搭載メモリ量の情報を受け取り、
前記画像処理選択手順は、前記画像処理能力取得手順において受け取られた前記画像処理能力と前記搭載メモリ量とに基づいて、前記画像処理手順において行われる画像処理内容を選択することを特徴とする出力制御プログラム。
【請求項４０】
請求項３５記載の出力制御プログラムであって、
前記画像処理選択手順は、前記画像データが複数頁だった場合は、前記出力装置側との画像処理分担を、頁毎に変更することを特徴とする出力制御プログラム。
【請求項４１】
請求項３５記載の出力制御プログラムであって、
前記画像処理選択手順は、前記画像データが複数頁で、かつ複数部数印刷だった場合は、前記出力装置側との画像処理分担を、頁毎に変更することを特徴とする出力制御プログラム。
【請求項４２】
請求項３６記載の出力制御プログラムであって、
前記画像処理選択手順は、前記出力装置の出力可否状態の情報に基づいて、前記出力装置側との画像処理分担を変更させることを特徴とする出力制御プログラム。
【請求項４３】
請求項４０記載の出力制御プログラムであって、
前記画像処理選択手順は、頁の途中で前記出力装置の出力可否状態が変わった場合には、前記出力装置側との画像処理分担を変更させることを特徴とする出力制御プログラム。
【請求項４４】
請求項３７記載の出力制御プログラムであって、
前記画像処理能力取得手順は、前記出力装置側の画像処理後のデータを格納できる残りメモリ量の情報を頁毎に受け取り、
前記画像処理選択手順は、前記画像処理能力取得手順において頁毎に受け取られた前記出力装置側の画像処理後のデータを格納できる残りメモリ量に基づいて、前記出力装置側との画像処理分担を変更させることを特徴とする出力制御プログラム。
【請求項４５】
請求項３４乃至４４いずれか一項記載の出力制御プログラムを記録したコンピュータ読み取り可能な記録媒体。